(57)【要約】【課題】  引き出しの引き出し操作をアクチュエータによる力を利用して容易に行えるものでありながら、その構成を付加することにより大型化することを可及的に抑制することができるスクリーン付家具を提供する点にある。【解決手段】  本体３に備えた引き出し１の内部にスクリーンを巻き取り収納し、引き出し１を引き出した状態で引き出し内に収納されたスクリーンを上方に立ち上げた使用姿勢と引き出し内に巻き取り収納した収納姿勢とに姿勢変更自在に構成してなるスクリーン付家具において、引き出し１を引き出し位置と格納位置とに移動させるための駆動機構を設け、その駆動機構を、ほぼ前後方向に引っ張り操作可能な線材１０と、この線材１０を引っ張り操作するためのアクチュエータＭと、前記線材１０と引き出し１とを連結する連結手段１２とから構成した。【選択図】        図４
2006081810.tif 000002
【特許請求の範囲】
【請求項１】
本体に、それの前方に引き出した引き出し位置と該本体内に格納した格納位置とに移動自在な引き出しを備え、前記引き出しの内部にスクリーンを巻き取り収納し、前記引き出しを引き出した状態で該引き出し内に収納されたスクリーンを上方に立ち上げた使用姿勢と該引き出し内に巻き取り収納した収納姿勢とに姿勢変更自在に構成してなるスクリーン付家具において、前記引き出しを引き出し位置と格納位置とに移動させるための駆動機構を設け、その駆動機構を、ほぼ前後方向に引っ張り操作可能な線材と、この線材を引っ張り操作するためのアクチュエータと、前記線材と前記引き出しとを連結する連結手段とから構成したことを特徴とするスクリーン付家具。
【請求項２】
前記線材が、ループ状のワイヤーからなり、そのワイヤーを、前記本体部に取り付けられた左右一対の前側プーリと該前側プーリの後方に前後方向及び左右方向で位置をずらして該本体部に取り付けられた２個の後側プーリの合計６個に巻回することにより、ループ内方側で向かい合うワイヤー同士が互いにほぼ平行となるように構成し、前記プーリの１つを前記アクチュエータを構成する正逆転可能な電動モータにて駆動される駆動プーリから構成してなる請求項１記載のスクリーン付家具。
【請求項３】
前記後側プーリ間に巻回される前後一対のワイヤーの長手方向ほぼ中央部を前方側へ押圧するためのテンションプーリを備えさせてなる請求項２記載のスクリーン付家具。
【請求項４】
前記引き出しの底板部の下面とこれに対応する前記本体の部位との間に第１案内手段を設け、前記引き出しの両横側板部の外面とこれに対応する前記本体の両横側部の内面との間に第２案内手段を設けてなる請求項１〜３のいずれかに記載のスクリーン付家具。
【発明の詳細な説明】
【技術分野】
【０００１】
本発明は、本体に、それの前方に引き出した引き出し位置と該本体内に格納した格納位置とに移動自在な引き出しを備え、前記引き出しの内部にスクリーンを巻き取り収納し、前記引き出しを引き出した状態で該引き出し内に収納されたスクリーンを上方に立ち上げた使用姿勢と該引き出し内に巻き取り収納した収納姿勢とに姿勢変更自在に構成してなるスクリーン付家具に関する。
【背景技術】
【０００２】
上記スクリーン付家具は、スクリーンを使用するときだけ、引き出しを引き出して引き出しに収納されたスクリーンを上方に立ち上げて使用するものが既に提案されている（例えば、特許文献１参照）。
【特許文献１】特開２００２−２７２５４６号公報（図１〜図６参照）
【発明の開示】
【発明が解決しようとする課題】
【０００３】
上記引き出しは、手動力にて引き出したり、押し込んだりすることになっているが、特に大型のスクリーンの場合においては、重量があるため、引き出しの引き出し操作に多大な労力を要するものであった。
【０００４】
本発明が前述の状況に鑑み、解決しようとするところは、引き出しの引き出し操作をアクチュエータによる力を利用して容易に行えるものでありながら、その構成を付加することにより大型化することを可及的に抑制することができるスクリーン付家具を提供する点にある。
【課題を解決するための手段】
【０００５】
本発明は、前述の課題解決のために、本体に、それの前方に引き出した引き出し位置と該本体内に格納した格納位置とに移動自在な引き出しを備え、前記引き出しの内部にスクリーンを巻き取り収納し、前記引き出しを引き出した状態で該引き出し内に収納されたスクリーンを上方に立ち上げた使用姿勢と該引き出し内に巻き取り収納した収納姿勢とに姿勢変更自在に構成してなるスクリーン付家具において、前記引き出しを引き出し位置と格納位置とに移動させるための駆動機構を設け、その駆動機構を、ほぼ前後方向に引っ張り操作可能な線材と、この線材を引っ張り操作するためのアクチュエータと、前記線材と前記引き出しとを連結する連結手段とから構成したことを特徴としている。
アクチュエータにて線材を前方に引っ張ると、連結手段を介して引き出しが前方へ引き出され、これとは逆に後方へ引っ張ると、連結手段を介して引き出しが後方へ押し込まれる。
【０００６】
前記線材が、ループ状のワイヤーからなり、そのワイヤーを、前記本体部に取り付けられた左右一対の前側プーリと該前側プーリの後方に前後方向及び左右方向で位置をずらして該本体部に取り付けられた２個の後側プーリの合計６個に巻回することにより、ループ内方側で向かい合うワイヤー同士が互いにほぼ平行となるように構成し、前記プーリの１つを前記アクチュエータを構成する正逆転可能な電動モータにて駆動される駆動プーリから構成してもよい。
【０００７】
前記後側プーリ間に巻回される前後一対のワイヤーの長手方向ほぼ中央部を前方側へ押圧するためのテンションプーリを備えさせてもよい。
【０００８】
前記引き出しの底板部の下面とこれに対応する前記本体の部位との間に第１案内手段を設け、前記引き出しの両横側板部の外面とこれに対応する前記本体の両横側部の内面との間に第２案内手段を設けてもよい。
【発明の効果】
【０００９】
引き出しを引き出し操作するために、線材をアクチュエータにて引っ張り操作する構成にすることによって、例えば引き出しの背板と本体の背板との間にパンタグラフ式（伸縮式）のリンク機構を配置し、そのリンク機構を伸縮させるための電動モータを設ける場合に比べて、駆動機構の大型化及び重量の増大化を抑制することができる。従って、引き出しの引き出し操作をアクチュエータによる力を利用して容易に行えるものでありながら、それによる大型化を抑制することができ、設置スペース面及び取扱面において有利なスクリーン付家具を提供することができる。
【００１０】
線材を、ループ状のワイヤーから構成し、そのワイヤーを巻回するプーリを少なくとも６個設け、それらプーリのうちの特定のプーリを正逆転可能な電動モータにて駆動される駆動プーリから構成することによって、１つの電動モータにて引き出しを引き出したり、押し込むことができ、例えば２つの電動モータを設ける場合において両モータを同期させる制御装置も必要になり、構成の簡素化を図ることができ、装置の小型化及びコスト面において有利になる。
【００１１】
後側プーリ間に巻回される前後一対のワイヤーの長手方向ほぼ中央部を前方側へ押圧するためのテンションプーリを備えさせることによって、プーリとワイヤーとの間に発生するスリップを回避し易くなり、動力伝達のロスを小さくすることができる。
【００１２】
引き出しの底板部の下面とこれに対応する本体の部位との間に第１案内手段を設け、引き出しの両横側板部の外面とこれに対応する本体の両横側部の内面との間に第２案内手段を設けることによって、特に引き出しが最大限引き出されたときの引き出しの前端部がスクリーンの重量で前下がり傾斜になることを回避することができ、引き出しの引き出し動作をスムーズかつ安定良く行わせることができる。
【発明を実施するための最良の形態】
【００１３】
図１及び図２に、引き出し１を引き出して該引き出し１に巻き取り収納されているスクリーン２を使用姿勢に姿勢変更したスクリーン付家具（以下、家具と言う）を示している。この家具は、平面視においてほぼ長方形状の木製（金属製や合成樹脂製等でもよい）の本体３に、それの前方に引き出した引き出し位置と本体３内に格納した格納位置とに移動自在な引き出し１を備え、この引き出し１内に前記スクリーン２を巻き取り収納している。ここでは、１つの引き出し１を備えさせた家具を示しているが、複数（２つ以上）の引き出し１を備えさせた家具であってもよい。前記引き出し１の引き出し操作を後述するように、電動モータなどのアクチュエータの力を用いて行うようにしているが、アクチュエータと駆動機構との繋がりを入り切りできるようにしていれば、例えばアクチュエータが故障などの時に手動にて引き出しを引き出し操作することができる。又、前記スクリーン２は、人為力にてそれの姿勢変更を行うようにする他、アクチュエータの力を用いて行うようにしてもよい。図１及び図２に示すＲは、立ち上げられるスクリーン２を支持するためにスクリーン２の裏面に配設された左右一対のリンク機構であるが、他の方式であってもよい。前記リンク機構Ｒは、左右一対のコイルバネ５，５及びガスダンパー７，７により立ち上げられたスクリーン２の使用姿勢を維持することができるようにしているが、他の方法であってもよい。実際には、前記スクリーン２の上端が取り付けられているバー４の左右方向ほぼ中央に取り付けられている取っ手（図示せず）を手で持ち上げることにより、スクリーン２を上方に立ち上げた使用姿勢にすることができ、又この使用姿勢から取っ手を手で押し下げることにより、スクリーン２を引き出し１内に巻き取り収納した収納姿勢に姿勢変更することができるようにしている。前記スクリーンをアクチュエータ（電動モータ）を用いて使用姿勢に姿勢変更できる構成にする場合には、リモコンなどの遠隔操作器具を用いて離れた場所から引き出し１を引き出してから、スクリーンを電動力を用いて使用姿勢に容易迅速に行うことができる利点がある。尚、スクリーンを格納する場合も遠隔操作器具を操作するだけでスクリーンを巻き取ってから引き出し１を格納位置へ容易迅速に移動させることができる。
【００１４】
図１、図３〜図５に示すように、前記本体３は、前記引き出し１を収納可能な空間を備えた前面開放型の箱型状に構成している。具体的には、物を置くことができる上面を備えた左右方向に長い長方形状の天板部３Ａと、この天板部３Ａの左右両端から下方に延びる上下方向に長い長方形状の左右の横側板部３Ｂ，３Ｃと、下面に８個（個数は何個でもよい）のキャスター６が取り付けられたほぼ長方形状の底板部３Ｄと、この底板部３Ｄと天板部３Ａとの間に配置して前記引き出し１を支持するための長方形状の支持板部３Ｅと、この支持板部３Ｅと前記底板部３Ｄとの間に形成される収納空間を左右方向で３つの収納空間３Ｋ，３Ｋ，３Ｋに仕切るための縦向きの仕切板部３Ｆ，３Ｆとから本体３を構成しているが、図に示す構成以外であってもよい。前記キャスター６は、向き変更のできるタイプであってもよいし、キャスターに代えて球状体を支持部材に回転自在に支持させたものであってもよいし、場合によってはキャスターを省略して実施してもよい。又、前記天板部３Ａの上面に、プラズマディスプレイや液晶テレビの他、いろんな物を載置することができるように本体３を背の低いものを示しているが、背の高いものに構成して実施してもよい。
【００１５】
前記本体３に引き出し自在に押し込まれた前記引き出し１は、該本体３の前方の開口を閉じることができる大きさに構成され、かつ、取っ手１Ｔを備えたほぼ長方形状の前板部１Ａと、この前板部１Ａの両端側内面から後方に延びるように取り付けられたほぼ長方形状の左右一対の横側板部１Ｂ，１Ｃと、これら横側板部１Ｂ，１Ｃの長手方向ほぼ中央部内面間に渡って取り付けられたほぼ長方形状の背板部１Ｄと、上面にスクリーン２を載置するためのほぼ長方形状の底板部１Ｅとから構成されているが、図に示す構成以外であってもよい。
【００１６】
前記本体３に対して前記引き出し１の前後方向への移動をスムーズに案内するための第１案内手段及び第２案内手段を備えている。これら案内手段は、引き出し１の底板部１Ｅの下面とこれに対応する本体３の部位との間に第１案内手段を配設し、引き出し１の両横側板部１Ｂ，１Ｃの外面とこれに対応する本体３の両横側板部３Ｂ，３Ｃの内面との間に第２案内手段を配設している。具体的には、本体３の支持板部３Ｅの上面に備えた左右一対のガイドレール８Ａ，８Ａと、これらガイドレール８Ａ，８Ａに噛み合ってスライド移動自在にするために引き出し１の底板部１Ｅの下面に備えた左右一対のガイド部材８Ｂ，８Ｂとからなる第１案内手段と、本体３の両横側板部３Ｂ，３Ｃの内面に備えたガイドレール９Ａ，９Ａとこれらガイドレール９Ａ，９Ａに噛み合ってスライド移動自在にするために引き出し１の両横板部１Ｂ，１Ｃの外面に備えたガイド部材９Ｂ，９Ｂからなる第２案内手段とを設けているが、案内手段の具体的構成は、図に示されるもの以外であってもよい。
【００１７】
前記引き出し１は、駆動機構によって引き出し位置と格納位置とに移動可能に構成されている。そして、図３、図４及び図６に示すように、前記駆動機構を、ほぼ前後方向に引っ張り操作可能な線材の一例である金属製（金属とほぼ同等の引っ張り強度を有するものであれば、合成樹脂などの材料であってもよい）のワイヤー１０と、このワイヤー１０を引っ張り操作するためのアクチュエータの一例である正逆転可能な電動モータＭと、前記ワイヤー１０と前記引き出し１とを連結する連結手段としての連結用のブラケット１２とから構成している。前記ブラケット１２の下面に前記ワイヤー１０を挿通した状態で緊結することができるホルダー１１を備えさせている。前記ワイヤー１０に代えてほぼ同等の強度を有するゴムベルトであってもよい。
【００１８】
前記ワイヤー１０が、ループ状のものからなり、そのワイヤー１０を、前記本体部３に取り付けられた左右一対の前側プーリ１３，１３と該前側プーリ１３の後方に前後方向及び左右方向で位置をずらして該本体部３に取り付けられた２個の後側プーリ１４，１５の合計６個（７個以上設けてもよい）に巻回することにより、ループ内方側で向かい合うワイヤー同士が互いにほぼ平行となるように構成し、前記プーリ１３，１４，１５のうちの特定の１つのプーリ１５を前記電動モータＭにて駆動される駆動プーリ１５としている。ここでは、電動モータＭの操作軸を駆動プーリ１５に一体回転するように内嵌着しているが、ギアを介して駆動プーリと電動モータＭとを連動させるように構成してもよい。図６に示す１７は、電動モータＭを支持するための支持部材である。又、図６に示す１８は、前記後側プーリ１４，１４又は１５，１５間に巻回される前後一対のワイヤー１０の長手方向ほぼ中央部を前方側へ押圧するためのテンションプーリであるが、場合によっては無くてもよい。又、図３及び図４では、ワイヤー１０が平面視においてほぼＭ字状になるように構成しているが、門型であってもよい。又、前記ループ内方側で向かい合うワイヤー１０同士が全ての箇所においてほぼ平行になるように構成しているが、必ずしも平行でなくてもよい。しかし、ブラケット１２が取り付けられるワイヤー１０の部分は、前後方向に沿った姿勢とすることが好ましい。
従って、図６に示すように、電動モータＭの操作軸を平面視において反時計周り（正転方向）に駆動回転することにより、ワイヤー１０も同様に反時計周りに送り出す。これによって、ブラケット１２，１２が前方へ移動することで引き出し１を前方側へ引き出し操作される。これとは反対に逆転方向（時計周り）に電動モータＭを駆動することによって、ブラケット１２，１２が後方へ移動して引き出し１を格納側へ移動操作することができるようになっている。尚、前側のプーリ１３と後側のプーリ１５との距離を変更することによって、引き出し１の引き出し量を容易に変更することができる。図３及び図４に示すＲ１，Ｒ２が本体３に取り付けられた前後一対のリミットスイッチであり、これらリミットスイッチＲ１，Ｒ２のうちの後側のリミットスイッチＲ１に引き出し１側に設けた（実際には引き出し１側の一方のガイド部材８Ｂの後端に取り付けた）突出部１９が接当することによって、引き出し１が格納位置に位置したと判断して、電動モータＭの駆動を停止させ、又、前側のリミットスイッチＲ２に突出部１９が接当することによって、引き出し１が引き出し位置（使用位置）に位置したと判断して、電動モータＭの駆動を停止させるようにしている。
【００１９】
図６では、ワイヤー１０をプーリ１３，１４，１５にループ状に巻回することによって、駆動プーリ１５を上下方向において小型なものに抑えることができる利点があるが、図７に示すように、駆動プーリ１５の上下部分１５Ａ，１５Ｂにワイヤー１０の一部を巻き取るための巻き取り部に構成することによって、ワイヤー１０とのスリップが少ないものに構成することができる。図７では、上側部分１５Ａに巻き取られたワイヤー１０を繰り出すと共に、下側部分１５Ｂにて繰り出されたワイヤー１０を巻き取るようにしている。
【００２０】
又、図８に示すように、２本のワイヤー１０Ａ，１０Ｂを左右に振り分けて実施することもできる。この場合、左側の駆動プーリ１５からの動力を電動ベルト１９を介して３つのプーリ１４，１４，１５に伝達する構成とすることによって、１つの電動モータＭにて２本のワイヤー１０Ａ，１０Ｂを一挙に引っ張り操作することができるようにしている。図では、引き出し１を引き出し位置へ操作する場合を示している。
【００２１】
また、図９に示すように駆動機構を構成してもよい。つまり、図７で示した駆動機構を構成する左側のプーリ１４及び前側のテンションプーリ１８を省略して平面視ほぼＮ型に構成することによって、プーリの数を５個になるようにしている。
【図面の簡単な説明】
【００２２】
【図１】スクリーンを使用姿勢にした一部断面にしたスクリーン付家具の側面図である。
【図２】使用姿勢にしたスクリーンの背面図である。
【図３】引き出しを格納位置にしたスクリーン付家具の横断平面図である。
【図４】引き出しを引き出し位置にしたスクリーン付家具の横断平面図である。
【図５】スクリーン付家具の縦断正面図である。
【図６】駆動機構の斜視図である。
【図７】別の駆動機構の斜視図である。
【図８】別の駆動機構の斜視図である。
【図９】別の駆動機構の斜視図である。
【符号の説明】
【００２３】
１  引き出し
１Ｂ，１Ｃ  横側板部
１Ｅ  底板部
１Ｔ  取っ手
１Ａ  前板部
１Ｄ  背板部
２  スクリーン
３Ｄ  底板部
３Ａ  天板部
３Ｅ  支持板部
３Ｆ  仕切板部
３Ｋ  収納空間
３  本体
４  バー
５  コイルバネ
６  キャスター
７  ガスダンパー
８Ａ  ガイドレール
８Ｂ  ガイド部材
９Ａ   ガイドレール
９Ｂ   ガイド部材
１０  ワイヤー
１０Ａ，１０Ｂ  ワイヤー
１１  ホルダー
１２  ブラケット
１３，１４，１５  プーリ
１５Ｂ 下側部分
１５  駆動プーリ
１５Ａ 上側部分
１９   電動ベルト
１９   突出部
Ｒ  リンク機構
Ｒ１，Ｒ２    リミットスイッチ
Ｍ  電動モータ
【図１】
2006081810.tif 000003
【図２】
2006081810.tif 000004
【図３】
2006081810.tif 000005
【図４】
2006081810.tif 000006
【図５】
2006081810.tif 000007
【図６】
2006081810.tif 000008
【図７】
2006081810.tif 000009
【図８】
2006081810.tif 000010
【図９】
2006081810.tif 000011